(57)【特許請求の範囲】
【請求項１】
被覆型廃棄物最終処分場に入退場する廃棄物運搬車両の識別情報を検出手段または情報入力手段により取得するとともに、前記廃棄物運搬車両の入場日時および／または退場日時情報を取得し、かつ入場時の車両重量と退場時の車両重量との差により前記廃棄物運搬車両による廃棄物投入量を算出し、これらの廃棄物運搬車両毎の廃棄物搬入管理情報をコンピュータ内に記憶し、
前記被覆型廃棄物最終処分場に対し、搬入された廃棄物を処分場内の任意の場所に投棄可能な廃棄物投棄設備を設けておき、予め処分場に平面的に割り当てたブロック座標情報に基づいて、前記廃棄物投棄設備により所定のブロック座標位置に前記廃棄物を投棄するとともに、前記廃棄物運搬車両毎の廃棄物搬入管理情報と関連付けしながら、当該廃棄物の投棄位置のブロック座標およびブロック座標毎の投棄回数をコンピュータ内に記憶するようにするとともに、前記廃棄物運搬車両の入場時または退場時に廃棄物種類の情報を取得し、前記廃棄物運搬車両毎の廃棄物搬入管理情報、廃棄物の投棄位置のブロック座標およびブロック座標毎の投棄回数と関連付けしながらコンピュータ内に記憶するようにしたことを特徴とする被覆型廃棄物最終処分場における埋立て管理方法。
【請求項２】
廃棄物運搬車両毎に車両識別情報が記録されたバーコードシートを付与し、前記入場および／または退場時にバーコード検出手段により廃棄物運搬車両の識別を行うようにした請求項１記載の被覆型廃棄物最終処分場における埋立て管理方法。
【請求項３】
被覆型廃棄物最終処分場に入退場する廃棄物運搬車両の識別情報を検出手段または情報入力手段により取得するとともに、前記廃棄物運搬車両の入場日時および／または退場日時情報を取得し、かつ入場時の車両重量と退場時の車両重量との差により前記廃棄物運搬車両による廃棄物投入量を算出し、これらの廃棄物運搬車両毎の廃棄物搬入情報を記憶・管理する廃棄物搬入情報管理システムと、
前記被覆型廃棄物最終処分場に対し、搬入された廃棄物を処分場内の任意の場所に投棄可能な廃棄物投棄設備を設けておき、予め処分場内に割り当てられたブロック座標情報に基づいて、前記廃棄物投棄設備により所定のブロック座標位置に前記廃棄物を投棄するとともに、前記廃棄物運搬車両毎の廃棄物搬入管理情報と関連付けしながら、当該廃棄物の投棄位置のブロック座標およびブロック座標毎の投棄回数を記憶・管理し、かつ前記廃棄物運搬車両の入場時または退場時に廃棄物種類の情報を取得し、前記廃棄物運搬車両毎の廃棄物搬入管理情報、廃棄物の投棄位置のブロック座標およびブロック座標毎の投棄回数と関連付けしながらコンピュータ内に記憶・管理する廃棄物埋立情報管理システムとを備えることを特徴とする被覆型廃棄物最終処分場における埋立て管理システム。
【請求項４】
前記廃棄物投棄設備は、処分場の両側に敷設された縦行レール間に横架され、該縦行レールに沿って走行自在とされる縦行走行体と、この縦行走行体の上面に長手方向に沿って敷設されたレールに沿って走行自在とされる投棄用移動ホッパーとからなる投棄設備である請求項３記載の被覆型廃棄物最終処分場における埋立て管理システム。
【発明の詳細な説明】
【０００１】
【発明の属する技術分野】
本発明は、埋立て処分場の上面を屋根で覆う、或いは埋立て処分場を人工地盤で覆うなどして被覆された状態のままで廃棄物の投棄を行うようにした被覆型廃棄物最終処分場における埋立て管理方法およびそのシステムに関する。
【０００２】
【従来の技術】
従来より、一般家庭から排出される分別ゴミや粗大ゴミなどの不燃物や、工場などから排出される廃プラスチック、焼却灰、汚泥、鉱滓などの産業廃棄物（以下、纏めて廃棄物という。）は焼却処理できないため、埋立て処分されている。
【０００３】
従来より多く建設されている開放型最終処分場は、地下水の汚染、大気の汚染、土壌汚染等、環境汚染につながる施設として指摘されるようになり、用地確保のみならず既設処分場の改造すらままならない状況が続いている。かかる環境問題は、比較的管理・運営が良く行き届いた処分場ではあまり発生していないが、管理・運営が良くない処分場においては実際に多く発生している。
【０００４】
従って、前記最終処分場においては、管理・運営が非常に重要であることが再認識されているが、従前の開放型処分場では人為的に管理するには困難な条件が多く介在していることも事実で、特に天候による影響や鳥獣・虫等の侵入は実質的に制御不可能である。
【０００５】
この問題を解決すべく、従来の開放型処分場に代えて、上部を屋根で覆う、或いは上面を人工地盤等で覆うなどした被覆型最終処分場が提案され導入され始めている。
【０００６】
前記被覆型最終処分場では、天候による影響を受けず廃棄物を管理できるようになるとともに、鳥獣・虫等の侵入も防ぐことができ、さらには給気条件や排気条件を管理できるので粉塵・臭気等の拡散も防止できるようになる。
【０００７】
【発明が解決しようとする課題】
しかしながら、前記被覆型廃棄物最終処分場の場合は、確かに人為的に管理可能な条件が増えるとともに、周辺環境との景観的調和、廃棄物の飛散防止、臭気の拡散防止等は図れるようになるが、実際に埋立て処分される廃棄物自体の管理に関して言えば、決して十分であるとは言えず、単に手記による日付、台数等の搬入記録に止まるものであった。
【０００８】
仮に有害物質の漏出があった場合や、将来資源としてリサイクル可能な物質が特定されたりした場合等に対処可能とするための、処分場内の何処に、何がどれだけ埋め立てられているか等の管理情報は全く欠落していた。
【０００９】
一方で、被覆型最終処分場により外的環境は改善されることになるけれども、これとは反対に内的環境は悪化することになり、作業員等が悪環境に晒されるようになり、廃棄物投棄を自動化したシステムが強く望まれていた。
【００１０】
そこで本発明の主たる課題は、被覆型廃棄物最終処分場において、投棄者、投棄日時はもとより、搬入車両毎に廃棄物の量、処分場内での埋立て場所、好ましくは廃棄物種類までも記憶・管理できるようにするとともに、自動化により作業員の施設内への立ち入り回数を極力低減できるようにした被覆型廃棄物最終処分場における埋立て管理方法およびそのシステムを提供することにある。
【００１１】
【課題を解決するための手段】
前記課題を解決するための本発明として、被覆型廃棄物最終処分場に入退場する廃棄物運搬車両の識別情報を検出手段または情報入力手段により取得するとともに、前記廃棄物運搬車両の入場日時および／または退場日時情報を取得し、かつ入場時の車両重量と退場時の車両重量との差により前記廃棄物運搬車両による廃棄物投入量を算出し、これらの廃棄物運搬車両毎の廃棄物搬入管理情報をコンピュータ内に記憶し、
前記被覆型廃棄物最終処分場に対し、搬入された廃棄物を処分場内の任意の場所に投棄可能な廃棄物投棄設備を設けておき、予め処分場に平面的に割り当てたブロック座標情報に基づいて、前記廃棄物投棄設備により所定のブロック座標位置に前記廃棄物を投棄するとともに、前記廃棄物運搬車両毎の廃棄物搬入管理情報と関連付けしながら、当該廃棄物の投棄位置のブロック座標およびブロック座標毎の投棄回数をコンピュータ内に記憶するようにするとともに、前記廃棄物運搬車両の入場時または退場時に廃棄物種類の情報を取得し、前記廃棄物運搬車両毎の廃棄物搬入管理情報、廃棄物の投棄位置のブロック座標およびブロック座標毎の投棄回数と関連付けしながらコンピュータ内に記憶するようにしたことを特徴とする被覆型廃棄物最終処分場における埋立て管理方法が提供される。
【００１２】
また、前記廃棄物運搬車両の識別に関し具体的には、廃棄物運搬車両毎に車両識別情報が記録されたバーコードシートを付与し、前記入場および／または退場時にバーコード検出手段により廃棄物運搬車両の識別を行うようにするのが望ましい。
【００１３】
一方、本埋立て管理システムとしては、被覆型廃棄物最終処分場に入退場する廃棄物運搬車両の識別情報を検出手段または情報入力手段により取得するとともに、前記廃棄物運搬車両の入場日時および／または退場日時情報を取得し、かつ入場時の車両重量と退場時の車両重量との差により前記廃棄物運搬車両による廃棄物投入量を算出し、これらの廃棄物運搬車両毎の廃棄物搬入情報を記憶・管理する廃棄物搬入情報管理システムと、
前記被覆型廃棄物最終処分場に対し、搬入された廃棄物を処分場内の任意の場所に投棄可能な廃棄物投棄設備を設けておき、予め処分場内に割り当てられたブロック座標情報に基づいて、前記廃棄物投棄設備により所定のブロック座標位置に前記廃棄物を投棄するとともに、前記廃棄物運搬車両毎の廃棄物搬入管理情報と関連付けしながら、当該廃棄物の投棄位置のブロック座標およびブロック座標毎の投棄回数を記憶・管理し、かつ前記廃棄物運搬車両の入場時または退場時に廃棄物種類の情報を取得し、前記廃棄物運搬車両毎の廃棄物搬入管理情報、廃棄物の投棄位置のブロック座標およびブロック座標毎の投棄回数と関連付けしながらコンピュータ内に記憶・管理する廃棄物埋立情報管理システムとを備えることを特徴とする被覆型廃棄物最終処分場における埋立て管理システムが提供される。
【００１４】
この場合、前記廃棄物投棄設備は、処分場の両側に敷設された縦行レール間に横架され、該縦行レールに沿って走行自在とされる縦行走行体と、この縦行走行体の上面に長手方向に沿って敷設されたレールに沿って走行自在とされる投棄用移動ホッパーとからなる投棄設備とすることができる。また、監視カメラを取り付け、廃棄場の投棄状況をモニタ上に表示可能とすることもできる。
【００１５】
【発明の実施の形態】
以下、本発明の実施の形態について図面を参照しながら詳述する。
【００１６】
図１は本発明に係る被覆型廃棄物最終処分場における埋立て管理システム１の構成図である。
【００１７】
本システム１は、主に廃棄物運搬車両毎に、車両識別コード、搬入日時、廃棄物の種類、廃棄物の投棄量等の廃棄物搬入情報を記憶・管理する廃棄物搬入情報管理システム２と、前記廃棄物運搬車両より搬入された廃棄物を処分場内の所定位置に廃棄するとともに、廃棄物の投棄位置およびその投棄回数を記憶・管理する廃棄物埋立情報管理システム３とから構成された管理システムとなっている。
【００１８】
以下、具体的に前記廃棄物搬入情報管理システム２と廃棄物埋立情報管理システム３とに分けて詳述すると、
《廃棄物搬入情報管理システム２》
先ず、前記廃棄物搬入情報管理システム２において、図２に示されるように、管理室４内に搬入管理用コンピュータ５、投棄設備（ホッパークレーン）制御用コンピュータ６および設備監視用コンピュータ７が設備され、一方入場口および退場口にはそれぞれ車両重量測定装置１３が路面に設置されているとともに、廃棄物情報取得装置８、９が設置され、前記搬入管理用コンピュータ５と廃棄物情報取得装置８，９とが有線ケーブル１１または無線装置１２を介して情報伝送可能に結ばれている。
【００１９】
前記廃棄物情報取得装置８は、例えば図３に示されるように、バーコードリーダー１５、テンキー入力部１６および廃棄物種類の入力部１７を備えるとともに、内部にタイマー機能を備え、最終処分場１４内に入場する廃棄物運搬車両１０毎に、車両コードの認証（車両識別情報）、入場日時、廃棄物種類、入場時車両重量の情報が前記搬入管理用コンピュータ５に伝送されるようになっている。一方、廃棄物情報取得装置９は、バーコードリーダー１５、テンキー入力部１６（廃棄物種類の入力部１７は省略可）を備えるとともに、内部にタイマー機能を備え、最終処分場１４から退場する車両の車両コードの認証（車両識別情報）、退場日時、退場時車両重量の情報が前記搬入管理用コンピュータ５に伝送されるようになっている。なお、前記テンキー入力部１６は、破損や汚れ等によりバーコードの読み取りが不能な場合にテンキーから直接、入力可能とするためである。また、廃棄物種類については、予め登録された車両コードと対応させた廃棄物種類のデータベースを構築しておき、入場時の受付と連動させて自動的に記録することもできる。
【００２０】
前記搬入管理用コンピュータ５では、入場時の車両重量と退場時の車両重量との差により前記廃棄物運搬車両による廃棄物投入量を算出し、前記車両コード（業者名）、入場日時、退場日時、搬入量等の廃棄物搬入情報を廃棄物搬入履歴として任意の保存型式、例えばCSV形式等により記憶部に記憶するようになっている。この廃棄物搬入情報は、任意時に所定の出力形式でプリントアウトすることができる。その出力例を下表１に示す。
【００２１】
【表１】
0003786870.tif 000002
また、モニタ１８には図４に示されるように、入場車両のコードと入場時重量が表示されるとともに、待機（入場中）車両のコード一覧および退場車両のコード、退場時重量および廃棄物搬入重量が表示されるようになっている。
【００２２】
ところで、前記車両の識別情報取得方法としては、前記バーコードの他、磁気方式、非接触型ICタグを用いたRFID（Radio Frequency-IDentification）などを使用することができる。また、図５に示されるように、車両のルーフ面にバーコードシートを貼り付け、ゲート梁１９の下面に取り付けたバーコードリーダー２０によって自動的に読み取らせることも可能である。
【００２３】
《廃棄物埋立情報管理システム３》
廃棄物情報取得装置８を通過し最終処分場１４内に入場した廃棄物運搬車両１０が、図６に示されるように、所定の投棄場所に停止すると、光電管または重量センサなどにより車両１０の存在を検出した制御器２１がベルトコンベア２２Ａ、２２Ｂを稼働開始し、廃棄物運搬車両１０から投下された廃棄物は、投入ホッパ２１を経て第１ベルトコンベア２２Ａ上に落下し、その後水平移送された後、第２ベルトコンベア２２Ｂにより廃棄物投棄設備２３（以下、ホッパークレーンという。）まで揚上搬送される。
【００２４】
前記ホッパークレーン２３は、詳細には図７および図８に示されるように、処分場１４の両側に敷設された縦行レール２４，２４間に横架され、該縦行レール２４，２４に沿って走行自在とされる縦行走行体２５と、この縦行走行体２５の上面に長手方向に沿って敷設されたレール２６，２６に沿って走行自在とされる投棄用移動ホッパー２７とからなる投棄設備で、管理室に設置された投棄設備（ホッパークレーン）制御用コンピュータ６による制御の下で、廃棄物を最終処分場１４内の任意の場所まで運搬した後、投棄するようになっている。
【００２５】
すなわち、前記管理室４に設置された投棄設備（ホッパークレーン）制御用コンピュータ６では、仮想的に前記最終処分場１４に対し、図９に示されるように、予め平面的にブロック座標（格子座標）が割り当てられている。図示例では縦列に対し01〜09まで番号が付与され、横列に対し10〜24までの番号が付与され、各ブロック座標が縦列番号＋横列番号からなる４桁の番号により特定されるとともに、各ブロック座標への移動パターン（前記縦行走行体および投棄用移動ホッパーの移動制御量）が記憶され、前記投棄用移動ホッパー２７に投入された廃棄物を予め決められた投棄場所（所定のブロック座標位置）まで運搬し投棄するようになっている。前記縦行走行体２５および投棄用移動ホッパー２７の移動量は、例えば車輪部に設けたロータリーエンコーダにより回転数を計数することにより測定することが可能である。
【００２６】
前記ホッパークレーン２３の移動制御は、予め決められたブロック座標の順番に従って運搬及び投棄を行う自動制御、または図１０に示されるように、タッチパネルモニタを使用し、投棄位置を操作者が指定することも可能である。さらには、人間が手動により前記ホッパークレーン２３を操縦し所定ブロック座標位置まで移動させた後、投棄することも可能である。
【００２７】
なお、前記ホッパークレーン２３の移動パターンとしては、例えば図１１(A)に示される時計回り渦巻きパターン、図１１(B)に示される反時計回りの渦巻きパターン、図１１(C)に示される縦方向のジグザグパターン、図１１(D)に示される横方向のジグザグパターン等、各種の移動パターンを挙げることができる。
【００２８】
前記投棄設備（ホッパークレーン）制御用コンピュータ６では、前記廃棄物運搬車両毎の廃棄物搬入管理情報と関連付けしながら、当該廃棄物の投棄位置のブロック座標およびブロック座標毎の投棄回数を貯留履歴としてコンピュータの記憶部に記憶するとともに、ＬＡＮで結ばれた前記搬入管理用コンピュータ５にその情報（廃棄物埋立情報）を伝送するようになっている。これらの貯留履歴は任意の保存型式、例えばCSV形式等により記憶され、任意時に所定の出力形式でプリントアウトすることができる。下表２にその出力例を示す。
【００２９】
【表２】
0003786870.tif 000003
前記投棄設備（ホッパークレーン）制御用コンピュータ６および／または前記搬入管理用コンピュータ５では、前記廃棄物埋立情報に基づいて、モニタ１８，２８上に例えば図９に示されるように、各ブロック座標欄に投棄回数を表示するとともに、図１２に示されるように、一目で廃棄状況が分かるように、各ブロック座標の投棄回数を立体表示することが可能になっている。
【００３０】
《設備監視システム》
前記管理室４に設備されている設備監視用コンピュータ７は、最終処理場１４内の投棄状況を監視するために設けた監視カメラ３０のモニタとして使用されるとともに、ガスセンサ３１および各種設備に設けたセンサー類からの信号により、非常事態の発生等（警報含む）を知らせるためのものである。これらの情報は、たとえば、表３に示されるように、発生時刻、復旧時刻および具体的内容が記録され、障害履歴として記憶される。
【００３１】
【表３】
0003786870.tif 000004
同表３に示されるように、障害履歴の具体的な内容としては、例えば、最終処分場１４内に設置されたベルトコンベア２２Ａ、２２Ｂの故障、一定量以上のガスの発生、未登録コード車両の入場、車両コードのテンキー入力等があり、これらは緊急度の度合いに応じてＡ〜Ｄの重要度で格付けされる。
【００３２】
以上、本例では本発明に係る埋立て管理システムについて詳述したが、コンピュータ５、６に蓄積された廃棄物管理情報は、図１３に示されるように、遠隔地にあるコンピュータＰ、Ｐ…とをインターネット通信回線を介して接続することにより、外部からモニタリングすることも可能である。
【００３３】
【発明の効果】
以上詳説のとおり本発明によれば、被覆型廃棄物最終処分場において、投棄者、投棄日時はもとより、搬入車両毎に廃棄物の量、処分場内での埋立て場所、好ましくは廃棄物種類までも記憶・管理できるようになるとともに、自動化により作業員の施設内への立ち入り回数を極力低減できるようになる。
【図面の簡単な説明】
【図１】  本発明に係る被覆型廃棄物最終処分場における埋立て管理システム１の構成図である。
【図２】  廃棄物搬入情報管理システム２の概略図である。
【図３】  廃棄物情報取得装置８の操作部拡大図である。
【図４】  搬入管理用コンピュータ５のモニタ表示例を示す図である。
【図５】  車両の識別情報取得方法の他例を示す図である。
【図６】  投棄手順を示す概略図である。
【図７】  ホッパークレーン２３を示す平面図である。
【図８】  図７のVIII−VIII線矢視図である。
【図９】  投棄設備制御用コンピュータ６のモニタ表示例を示す図である。
【図１０】  タッチパネルによる投棄位置指定要領を示す図である。
【図１１】  (A)〜(D)はそれぞれホッパークレーン２３の移動パターンを示す図である。
【図１２】  モニタ上での廃棄物投棄回数の立体表示例を示す図である。
【図１３】  インターネット通信回線を利用した外部からのモニタリング概念図である。
【符号の説明】
１…埋立て管理システム、２…廃棄物搬入情報管理システム、３…廃棄物埋立情報管理システム、４…管理室、５…搬入管理用コンピュータ、６…投棄設備制御用コンピュータ、７…設備監視用コンピュータ、８・９…廃棄物情報取得装置、１０…廃棄物運搬車両、１３…車両重量測定装置、１４…最終処分場、２３…ホッパークレーン（廃棄物投棄設備）
【図１】
0003786870.tif 000005
【図２】
0003786870.tif 000006
【図３】
0003786870.tif 000007
【図４】
0003786870.tif 000008
【図５】
0003786870.tif 000009
【図６】
0003786870.tif 000010
【図７】
0003786870.tif 000011
【図８】
0003786870.tif 000012
【図９】
0003786870.tif 000013
【図１０】
0003786870.tif 000014
【図１１】
0003786870.tif 000015
【図１２】
0003786870.tif 000016
【図１３】
0003786870.tif 000017